(57)【特許請求の範囲】
【請求項１】
２以上の羽根板が揺動可能に結合された扉用ヒンジにおいて、該羽根板の少なくとも一方は、調整板と、固定部材と、調整カムを備え、調整カムは円盤部と該円盤部の表面および裏面に係合突起を持ち、当該係合突起は、いずれも前記円盤部に対して偏心すると共に両係合突起同士も互いに偏心位置にあり、固定部材には前記円盤部が装着されて移動しつつ回動する幅方向にのびる長穴と、一方の係合突起が摺動する上下方向にのびる長穴を有し、調整板には調整カムの係合突起が摺動する長穴が設けられており、調整板は、固定部材によって幅方向にガイドされ、調整カムを回動することにより調整板が幅方向に移動することを特徴とする扉用ヒンジ。
【請求項２】
固定部材は、調整板の表側あるいは裏側の少なくとも一方に配されていることを特徴とする請求項１記載の扉用ヒンジ。
【請求項３】
調整カムには係合部が設けられ、該係合部にはネジ回し等の回転道具が係合されることを特徴とする請求項１又は２記載の扉用ヒンジ。
【発明の詳細な説明】
【０００１】
【産業上の利用分野】
本発明は、扉を扉枠に蝶着する扉用ヒンジに関し、詳しくは扉の取付位置を微調整できるようにした扉用ヒンジに関する。
【０００２】
【従来の技術】
扉用ヒンジは一般的に一対の羽根板によって、扉を扉枠に蝶着するものである。両方の羽根板の基端縁には、たとえば羽根板の半分の長さの管部が交互に形成され、両方の管部に軸芯が挿通されることによって、一対の羽根板が回動自在に一体化される。一方の羽根板が扉枠にネジ止めされ、他方の羽根板が扉にネジ止めされた後、両方の羽根板の管部が連続した状態で、両方の管部に軸芯が挿通されることによって、扉が扉枠に蝶着される。
【０００３】
ところが、扉枠は現場作業で製作され、扉は既製品を使用することが多いため、理想的な状態で扉が扉枠に蝶着されることが殆どなく、現場で手直し作業が行われることが多い。このため、扉の装着位置を上下（扉の長さ）方向あるいは左右（扉の幅）方向に調整可能にした蝶番が実開昭６２−１６６７２号公報や特開平３−１８７４８６号公報などに開示されている。
【０００４】
実開昭６２−１６６７２号公報に開示された蝶番は、座板に取り付けられた一方の羽根板と座板との間隙を、調整ネジ部材の螺進量によって調整し、扉の左右方向の調整を行い、さらに上下軸受部の上下端に取り付けられた止ネジによって、軸ピンを上下させ、他方の羽根板を上下させることによって、扉の上下方向の調整を行うものである。
【０００５】
特開平３−１８７４８６号公報に開示された蝶番は、上下方向の中央に突壁を設けた調整ベースに一方の羽根板を取り付け、この羽根板の傾きを調整することによって、扉の左右方向の調整を行い、さらにヒンジ軸に嵌着された雌ネジ体を上下させて、他方の羽根板を上下させることによって、扉の上下方向の調整を行うものである。
【０００６】
【発明が解決しようとする課題】
扉の装着位置を調整することができるようにした従来の蝶番は、上下方向あるいは左右方向にしか調整することができない。したがって、従来の蝶番では前後（扉の厚さ）方向に取付位置を調整することができないといった不具合があった。
【０００７】
そこで、本発明は扉の取付位置を前後方向に微調整することができるようにした扉用ヒンジを提供することを目的とする。
【０００８】
【課題を解決するための手段】
上記目的を達成するための請求項１の発明は、２以上の羽根板が揺動可能に結合された扉用ヒンジにおいて、該羽根板の少なくとも一方は、調整板と、固定部材と、調整カムを備え、調整カムは円盤部と該円盤部の表面および裏面に係合突起を持ち、当該係合突起は、いずれも前記円盤部に対して偏心すると共に両係合突起同士も互いに偏心位置にあり、固定部材には前記円盤部が装着されて移動しつつ回動する幅方向にのびる長穴と、一方の係合突起が摺動する上下方向にのびる長穴を有し、調整板には調整カムの係合突起が摺動する長穴が設けられており、調整板は、固定部材によって幅方向にガイドされ、調整カムを回動することにより調整板が幅方向に移動することを特徴とする扉用ヒンジである。
【０００９】
上記目的を達成するための請求項２の発明は、上記請求項１に記載の手段に記載の扉用ヒンジであって、固定部材は、調整板の表側あるいは裏側の少なくとも一方に配されていることを特徴とする扉用ヒンジである。
【００１０】
上記目的を達成するための請求項３の発明は、上記の扉用ヒンジであって、固調整カムには係合部が設けられ、該係合部にはネジ回し等の回転道具が係合されることを特徴とする扉用ヒンジである。
【００１１】
【作用】
また上記の請求項１に記載の発明によれば、扉用ヒンジは調整板と固定部材を有し、調整板は固定部材によって幅方向にガイドされる。そして本手段の扉用ヒンジは、調整カムを備え、この調整カムは調整板と固定部材の双方と係合する。従って調整カムを回動することにより、調整板は幅方向に移動し、取り付け位置が微調整される。
【００１２】
また本発明の扉用ヒンジは、調整カムがクランク的作用を持つ。本手段では、調整カムは２つの係合突起を持ち、これらは互いに偏心位置にある。従って調整カムの回動により、調整板側の係合突起は、円弧軌跡を描いて回動する。ここで本手段の扉用ヒンジでは、係合突起は調整板の長孔内に配されているので、前記した円弧軌跡の内、上下方向の成分はこの長孔によって吸収される。従って調整板は幅方向に移動する。
【００１３】
また本発明の扉用ヒンジは、固定部材に長孔を有し、調整カムの円盤部はこの長孔に配される。また係合突起は固定部材と調整板の長孔に配される。そして本手段の扉用ヒンジでは、調整カムが回転した際の幅方向以外の移動成分は、円盤部又は係合突起が長孔内を長手方向に移動し、係合突起がそれぞれの長孔内を長手方向に移動することにより吸収される。そのため調整カムを回動させると、調整板は幅方向に移動する。
【００１４】
請求項３に記載の手段によると、調整カムには係合部が設けられ、この係合部にはネジ回し等が係合される。そのため本手段の扉用ヒンジでは、調整カムに直接ネジ回し等を押し当てて、幅方向の微調整を行うことができる。
【００１５】
【実施例】
本発明の実施例の説明に先立って、本発明が完成されるに至った基礎となる構成を図１ないし図４を参照して説明する。図１は、参考構成の扉用ヒンジを下側から見たときの分解斜視図である。図２は、参考構成に係る扉用ヒンジの正面図である。図３は、図２のＡ−Ａ線拡大断面図である。図４は、表板の斜視図である。
【００１６】
参考構成に係る扉用ヒンジは、例えば、扉枠（図示せず）側に従来と同様の一般的な羽根板６０をネジ止めし、扉（図示せず）側に羽根板１をネジ止めするものである。扉側に固定する羽根板は、調整板１０、裏板２０、表板３０そして調整カム４０を組み合わせて構成する。
【００１７】
調整板１０は扉枠側に固定する羽根板６０と同じ長さの基端部１１と、基端部１１の中央から延出する中間部１２および遊端部１３より構成される。基端部１１の上半分には管部１４が形成され、管部１４内に軸方向に移動する軸芯２が挿通される。遊端部１３の中央には、長さ（縦）方向に長い長円形の作動穴１５が穿設される。この作動穴１５内に後述する調整カム４０のカム本体４１が回動自在に収納される。作動穴１５を挟んで遊端部１３の上下両側には、固定手段５０を構成する長穴１６，１６が幅（横）方向に長く穿設される。調整板１０は取付位置が微調整された後、固定手段５０によって裏板２０に強固に固定される。
【００１８】
裏板２０は調整板１０の裏面に摺動可能に接合されるものである。裏板２０の上下部２１，２２は調整板１０から食み出し、この食み出している上下部２１，２２の中央に小穴２３，２３が上下の２箇所に穿設され、この小穴２３，２３の両側に取付穴２４，２４，２４，２４が四隅の４箇所に穿設される。裏板２０の中心には、調整カム４０の裏側に突設した回動軸４２を嵌挿する軸受２５が穿設される。この軸受２５の上下両側には、調整板１０の長穴１６，１６と連通し、固定手段５０を構成するネジ穴２６，２６が２箇所に形成される。
【００１９】
調整板１０の表面側には、厚板状の表板３０が摺動自在に接合される。表板３０の外周には裏板２０の周縁と接合する折曲部３１が調整板の方へ形成される。ただし、図４に示すように、調整板１０の中間部１２と接合する部分には折曲部３１を形成せず、表板３０が調整板１０に対して幅方向に摺動できるようにする。表板３０の上下部は調整板１０から食み出し、裏板２０の上下部２１，２２と接合する厚肉部３２，３３が形成され、この厚肉部３２，３３の間には調整板１０を嵌合状態で配置する凹部３８が凹設される。
【００２０】
厚肉部３２，３３の中央には、図４に示すように、ピン３４，３４が突設される。このピン３４，３４は裏板２０に穿設した小穴２３，２３から突出する長さとする。さらにピン３４，３４の両側の厚肉部３２，３３には、図１に示すように、裏板２０の取付穴２４，２４，２４，２４と連通する取付穴３５，３５，３５，３５が４箇所に穿設される。
【００２１】
表板３０の中間に凹設した凹部３８は調整板１０を嵌合状態で配置するため、凹部３８の上下の壁面と調整板１０の上下の端面とが接合し、表板３０は偏向することなく幅方向に摺動する。逆に表板３０の中心には調整カム４０の表側に突設した回動軸４３を挿入する調整穴３６が穿設される。調整穴３６の裏側は、後述する偏平なドーナツ盤状のスラスト部材４５を嵌合する窪部が凹設される。調整穴３６の上下両側には裏板２０のネジ穴２６，２６と螺合する固定ネジ５１の頭部５２を露出させる締付穴３７，３７が２箇所に穿設される。締付穴３７，３７は固定ネジ５１とともに固定手段５０を構成し、締付穴３７，３７から固定ネジ５１を締めつける。
【００２２】
調整板１０に穿設した作動穴１５内で回動する調整カム４０は、円盤状のカム本体４１と、カム本体４１の裏面に偏心して突設した回動軸４２と、カム本体４１の表面に偏心して突設した回動軸（係合突起）４３とから構成される。カム本体４１の厚さは作動穴１５の深さと同じであり、カム本体４１の直径は作動穴１５の短径よりも若干短く、カム本体４１が作動穴１５内で回動できるようにする。裏側に突設した回動軸４２と表側に突設した回動軸４３とは同軸かつ同径であり、側面の接線はカム本体４１の側面の接線と連続する。裏側に突設した回動軸４２の端面は、図３に示すように、裏板２０の露出面と同一面とする。ただし、裏側に突設した回動軸４２を短くし、裏板２０の軸受２５を貫通穴ではなく、窪みとすることもできる。表側に突設した回動軸４３の端面は、ドライバーの先端部と嵌合する溝や六角レンチと嵌合する六角穴のような係合部４４が形成され、表板３０の露出面と同一面またはやや窪んだ状態になるようにする。
【００２３】
表側に突設した回動軸４３の係合部４４にドライバーなどの先端部を差込み、ドライバーを回動することによって、調整カム４０が裏側に突設した回動軸４２および表側に突設した回動軸４３を中心に回動する。調整カム４０が回動すると、カム本体４１の側面が調整穴３６の側面を押圧し、図２の仮想線に示すように、裏板２０は幅方向に移動する。カム本体４１と裏板２０の接合面との間には、貫通穴を穿設したスラスト部材４５を介在させ、カム本体４１が円滑に回動できるようにする。
【００２４】
羽根板１を構成する調整板１０、裏板２０、表板３０および調整カム４０は以上のように構成され、次にこの羽根板１を組み立てる方法について説明する。まず、調整カム４０の裏側に突設した回動軸４２を裏板２０の軸受２５に挿入して、カム本体４１を作動穴１５内に収納し、カム本体４１の上面にスラスト部材４５を重ねた状態で、表板３０の凹部３８内に調整板１０を嵌合状態で配置する。すると、カム本体４１の表側に突設した回動軸４３が表板３０の調整穴３６内に挿入されるとともに、表板３０のピン３４，３４が裏板２０の小穴２３，２３を貫通し、ピン３４，３４の先端部が小穴２３，２３から突出する。この突出したピン３４，３４の先端部をカシメて押し潰すと、裏板２０と表板３０とが調整板１０を挟んだ状態で一体化される。したがって、ピン３４，３４が押し潰される量を考慮して、小穴２３，２３の露出面は皿穴状にしておくことが望ましい。
【００２５】
このような状態で固定ネジ５１を表板３０の締付穴３７，３７から調整板１０の長穴１６，１６を貫通し、裏板２０のネジ穴２６，２６に固定ネジ５１，５１を螺合する。ただし、固定ネジ５１，５１は緩めた状態で裏板２０のネジ穴２６，２６に螺合し、裏板２０と表板３０との間で調整板１０が幅方向に移動できるようにする。調整板１０は、調整カム４０だけでなく、長穴１６，１６を貫通した固定ネジ５１，５１によって、裏板２０と表板３０との間から抜け出ないようにされる。このようにして組み立てられた羽根板１が出荷されることにより、現場での作業が低減される。
【００２６】
組み立てられた羽根板１は取付ネジ（図示せず）によって扉にネジ止めされる。取付ネジが表板３０の取付穴３５，３５…から裏板２０の取付穴２４，２４…を貫通して、羽根板１は扉にネジ止めされる。扉は中実であるため、扉が重くても取付ネジを扉の奥までねじ込むことによって、扉は羽根板１に固定される。
【００２７】
他方、扉枠に固着する羽根板６０は基端部６１の下半分に軸芯２の先端部を挿通する管部６２が形成され、遊端部６３の５箇所に取付穴６４，６４…が千鳥状に穿設され、裏面側から皿穴６５，６５が２箇所に穿設されるものである。皿穴６５，６５と扉枠との間に丸ネジ（図示せず）を介在し、丸ネジの螺進量によって、この羽根板６０と扉枠との傾斜角度を調整する。取付穴６４，６４…から取付ネジ（図示せず）を貫通し、羽根板６０を扉枠にネジ止めする。
【００２８】
扉枠に取り付けられた羽根板６０の管部６２と、扉に取り付けられた羽根板１の管部１４とを上下に連続させ、軸芯２を両管部６２，１４に挿通すると、扉が扉枠に蝶着される。そして、表板３０の調整穴３６から露出している回動軸４３の係合部４４にドライバーなどの先端部を差込み、調整カム４０のカム本体４１を調整穴３６内で回動させる。すると、カム本体４１の側面が調整板１０の作動穴１５の側面を押圧する。調整板１０は表板３０の凹部３８に嵌合状態で配置されており、基端部１１が管部１４によって扉枠に蝶着されているため、作動穴１５の側面を押圧した反作用の力によって、一体の裏板２０と表板３０とが幅方向、すなわち扉の厚さ方向に移動する。
【００２９】
すると、裏板２０と表板３０とにネジ止めされた扉は管部１４，６２から若干、離隔または近接し、扉の取付位置が微調整される。扉の取付位置が微調整された後、固定ネジ５１によって調整板１０を裏板２０にきつく固定すると取付作業が終了する。
【００３０】
上記参考構成においては一方の羽根板にのみ調整板、裏板、表板、調整カムなどを備えた場合について説明したが、両方の羽根板に調整板などを備えることもできる。また、上記参考構成においては、調整板を嵌合状態で配置する凹部を表板に凹設した場合について説明したが、凹部は裏板に凹設することもできる。また本参考構成では、裏板と表板の双方を有する構成を説明したが、裏板と表板の双方を有することは必須ではなく、裏板だけ、或いは表板だけを有するものであっても構わない。ただし調整板を幅方向にガイドする構成は必須であり、もし裏板だけを有する構成を採用する場合には、調整板１０を嵌合状態で配置する凹部３８等のガイド手段を裏板に形成する必要がある。
【００３１】
次に他の参考構成及び本発明の実施例について、図５乃至図７を参照しつつ説明する。
以下に説明する構成例は、いずれも裏板だけを有し、該裏板をもって固定部材の機能を発揮させる構成である。以下の構成例において、先の参考構成と同一の作用を果たす部位には先の参考構成と同一の番号を付して、重複した説明を略する。また図５、７の構成例の説明においては、図６の構成例と同一の作用を果たす部位には先の参考構成と同一の番号を付して、重複した説明を略する。
図５は、第３参考構成に係る扉用ヒンジの裏板と調整板および調整カムの分解斜視図である。図６は、第２参考構成に係る扉用ヒンジの裏板と調整板および調整カムの分解斜視図である。図７は、本発明の実施例に係る扉用ヒンジの裏板と調整板および調整カムの分解斜視図である。
【００３２】
図６に示した扉用ヒンジは、先の参考構成の作動穴１５と軸穴２５の位置関係を置き換えたものである。すなわち先の参考構成では、長孔たる作動穴１５を
調整板１０に設け、丸穴たる軸穴２５を裏板２０に設けた。これに対して、本参考構成は、長孔７０を裏板７１に設け、丸穴７２を調整板７３に設けたものである。本参考構成では、長孔７０の形状は先の参考構成と同一であり、また方向が上下に長く設けられている点も同一であるが、本長孔７０は窪み状の穴であり裏板７１を貫通しない。また裏板７１には、上下にガイド部７５が設けられ、調整板７３は、このガイド部７５の間に配されて幅方向にのみ移動可能である。
【００３３】
調整カム７７は、円盤状の本体部７８の表面だけに係合突起７９が設けられている。係合突起７９は、円盤状の本体部７８に対して偏心した位置にあり、その先端には係合部４４が形成されている。調整カム７７の裏面は平坦であって、回動軸等は無い。
【００３４】
本参考構成の扉用ヒンジは、長孔７０内に調整カム７７の本体部７８が配され、係合突起７９は調整板７３の穴７２によって支持される。
また調整板７３は長孔１６に図示しないネジが挿通され、該ネジによって裏板７１に取り付けられる。
【００３５】
本参考構成の扉用ヒンジにおいて、係合突起７９の係合部４４にネジ回しを当てて、調整カム７７を回動させると、調整カム７７は回転し、係合突起７９は回動する。しかしながら係合突起７９は、調整板７３の丸穴７２内にあり、かつ調整板７３には上下方向の自由度は無い。一方、調整カム７７は裏板７１の長孔７０内にあり、上下方向の自由度をもっている。従って調整カム７７の回動に伴って発生する係合突起７９の上下方向の移動成分は、調整カム７７自身が上下方向に移動することによって吸収される。
【００３６】
また調整カム７７の回動によって幅方向の成分も発生する。幅方向への成分については、調整カム７７が幅方向への平行移動ができないので、係合突起７９を介して調整板７３に負荷される。従って調整板７３は調整カム７７の回動に伴って幅方向に移動する。
【００３７】
図５の参考構成は、第１の参考構成と同様に調整板８０に長孔８１を設けて調整カム８６の回動に伴う垂直成分を吸収するものであるが、第１の参考構成は長孔によって本体部を支持したのに対して、本参考構成は長孔８１によって係合突起７９を支持した点が異なる。
すなわち本構成では、裏板８２に丸穴８３が設けられている。また丸穴８３の中心にはさらに貫通穴８４が設けられている。
調整カム８６は裏面の中心に回動軸となる係合突起８５を持ち、表面の偏心位置にも係合突起７９を持つ。そして調整カム８６の円盤状の本体部７７は丸穴８３内に配され、裏面の係合突起７９は裏板８２の丸穴８３に、表面の係合突起７９は調整板８０の長孔８１に支持されている。
【００３８】
本参考構成の扉用ヒンジでは、係合部４４にネジ回しを当てて、調整カム８６を回動させると、調整カム８６の係合突起７９は回転する。本参考構成では、調整カム８６は丸穴８３内にあり、上下方向にも幅方向にも自由度は無い。一方、調整カム８６の係合突起７９は、調整板８０の長孔８１内にあるので、係合突起７９の上下方向成分は、長孔８１によって吸収される。結局調整カム８６の幅方向への成分だけが係合突起７９を介して調整板８０に負荷される。従って調整板８０は調整カム８６の回動に伴って幅方向に移動する。
なお、本参考構成において、調整カムの裏面の係合突起８５および裏板８２の貫通した穴８４は、無くても良い。また逆に、調整カムの裏面の係合突起８５を設ける場合には、円盤状の本体部７７は必要無く、当該部分の形状は任意である。本体部７７に他の形状の平板を採用する場合には、丸穴８３内はその形状が回転可能な大きさにする必要がある。
【００３９】
次に本発明の実施例について図７を参照しつつ説明する。
図７の実施例は、裏板（固定部材）８７に設けた長孔８８の向きを幅方向に配した場合の構成を示すものである。本実施例では、長孔８８は先のそれと異なり、幅方向に延びている。長孔８８内には、上下方向に長孔８９が設けられている。
調整カム９０は、本体部７７の裏表に係合突起７９、９２が設けられている。係合突起７９、９２はいずれも本体部７７に対して偏心しており、また係合突起７９、９２同士も偏心位置にある。そして調整カム９０の本体部７７は、長孔８８内にあり、裏面の係合突起９２は裏板８７の長孔８９内に配され、表側の係合突起７９は、調整板８０の長孔８１内に配されている。
【００４０】
本実施例の扉用ヒンジでは、係合部４４にネジ回しを当てて、調整カム９０を回動させると、本体部７７は上下方向の自由度を持たないので上下方向にはその位置で回転する。また幅方向には、ある程度の自由度をもつものの、裏側の係合突起９２と長孔８９の係合により、規制を受ける。したがって調整カム９０の表側の係合突起７９は、調整カム９０の回動によって上下方向と幅方向の成分をもって振れ回る。ここで表側の係合突起７９は、長孔８１内にあるので、係合突起７９の上下方向成分は、長孔８１によって吸収される。結局調整カム９０の幅方向への成分だけが係合突起７９を介して調整板８０に負荷される。従って調整板８０は調整カム９０の回動に伴って幅方向に移動する。
【００４１】
本実施例によれば、扉の前後方向の装着位置の調整が容易になり、多種多様の扉厚の扉に対して、扉用ヒンジを取り付ける作業性が向上する。
【００４２】
【発明の効果】
本発明によれば、扉の前後方向の装着位置の調整が容易になり、多種多様の扉厚の扉に対して、扉用ヒンジを取り付ける作業性が向上する。
【００４３】
【図面の簡単な説明】
【図１】  本発明の第１の参考構成に係る扉用ヒンジを下側から見たときの分解斜視図である。
【図２】  本発明の第１の参考構成に係る扉用ヒンジの正面図である。
【図３】  図２のＡ−Ａ線拡大断面図である。
【図４】  表板の斜視図である。
【図５】  本発明の第３参考構成に係る扉用ヒンジの裏板と調整板および調整カムの分解斜視図である。
【図６】  本発明の第２参考構成に係る扉用ヒンジの裏板と調整板および調整カムの分解斜視図である。
【図７】  本発明の実施例に係る扉用ヒンジの裏板と調整板および調整カムの分解斜視図である。
【符号の説明】
１      羽根板
７７ 本体部
７９      係合部
８０      調整板
８１      長孔
８２      裏板
８３      丸穴
８７ 裏板（固定部材）
８８ 長孔
８９ 長孔
９０      調整カム
９２      係合突起
【図１】
0003669955.tif 000002
【図２】
0003669955.tif 000003
【図３】
0003669955.tif 000004
【図４】
0003669955.tif 000005
【図５】
0003669955.tif 000006
【図６】
0003669955.tif 000007
【図７】
0003669955.tif 000008